(57)【特許請求の範囲】
【請求項１】
廃棄物処分場において、前処理として一時的に廃棄物を洗浄設備に貯留して水洗し、廃棄物の保有する汚濁質を洗い出して流れ出る汚水を汚水貯留槽に貯留し、汚水貯留槽から汚水を定量的に浸出水処理施設に供給する一方で、前処理した廃棄物を埋立処分場へ投入し、埋立処分場の浸出水を調整槽へ貯留し、調整槽から浸出水を適宜に浸出水処理施設に供給し、浸出水処理施設において汚水貯留槽から流入する汚濁質の多い汚水を定常的な基本水処理負荷として処理し、調整槽から流入する汚濁質の少ない浸出水を変動的な一時水処理負荷として処理することを特徴とする浸出水負荷変動緩和方法。
【発明の詳細な説明】
【０００１】
【発明の属する技術分野】
本発明は、一般廃棄物、産業廃棄物等の最終処分場における埋立技術に係り、浸出水負荷変動緩和方法に関する。
【０００２】
【従来の技術】
最終処分場における浸出水の水量、水質は、埋立ごみ質、降雨量等の気象条件、埋立構造、埋立地の規模、集水面積の大小、埋立期間、ごみ埋立経過時間等により異なる。埋立処分場における浸出水は、埋立後に既に長い年月を経た既設埋立区画から出る浸出水も、埋立後の年月が短い新設埋立区画から出る浸出水も、廃棄物の存在しない未設埋立区画から出る浸出水をも一元的に集水し、その全量を同一工程において処理している。
【０００３】
【発明が解決しようとする課題】
このために、浸出水処理施設における処理プラントの規模や処理能力は、処分場に降る全降水量を対象として設定する必要があり、しかも気象条件の変化による変動量をも考慮するために、浸出水を処理する浸出水処理施設の規模を算定する際にはどうしても能力に冗長な余裕のある施設にならざるを得なかった。
【０００４】
しかし、浸出水は降雨量しだいで大きく変動するので、降雨量が少ないときには浸出水処理施設の運転稼動が連続的に停止する一方で、降雨量が集中する時期には汚濁負荷が大きくなって処理が追いつかず、浸出水を処分場に内部保留するような、両極端のケースが常態化している。
本発明は上記した課題を解決するものであり、浸出水処理施設における水処理負荷を平均化することができる浸出水負荷変動緩和方法を提供することを目的とする。
【０００５】
【課題を解決するための手段】
上記の課題を解決するために、本発明の浸出水負荷変動緩和方法は、廃棄物を前処理して後に埋立処分場へ投入し、埋立処分場の浸出水を調整槽へ貯留し、前記前処理において廃棄物を一時的に洗浄設備に貯留し、洗浄設備において廃棄物を水洗して洗浄することにより汚濁質を洗浄排水とともに洗い出し、流れ出る汚水を汚水貯留槽に貯留し、汚水貯留槽から汚水を定量的に浸出水処理施設に供給し、調整槽から浸出水を適宜に浸出水処理施設に供給し、浸出水処理施設において汚水貯留槽から流入する汚濁質の多い汚水を定常的な基本水処理負荷として処理し、調整槽から流入する汚濁質の少ない浸出水を変動的な一時水処理負荷として処理するものである。
【０００６】
上記した構成により、前処理として廃棄物を水洗いすることで埋立処分場に持ち込まれる汚濁量が少なくなり、浸出水中に含まれる汚濁質の絶対量が少なくなる。よって、降水量の変化によって浸出水の水量が変化しても、その汚濁量の変動量は小さなものとなり、浸出水が浸出水処理施設に与える一時水処理負荷の変動の影響は小さい。
【０００７】
一方、前処理によって発生する汚水が降雨量に関係なく浸出水処理施設へ毎時に一定の水量および汚濁量で基本水処理負荷として流入するので、浸出水処理施設を一定レベルの稼動率で連続して運転することができる。
したがって、浸出水処理施設における水処理負荷は、基本水処理負荷と一時水処理負荷の和となり、変動幅が小さく平均化されたものとなる。
【０００８】
前処理における洗浄水は浸出水処理施設の処理水を利用することもでき、調整槽に流入する浸出水を利用することもできる。
【０００９】
【発明の実施の形態】
以下、本発明の実施形態を図面に基づいて説明する。図１において、埋立処分場１は集排水管２を有し、集排水管２は調整槽３に連通し、調整槽３が浸出水処理施設４に接続している。この浸出水処理施設４は、第１凝集沈殿処理設備、生物処理設備、第２凝集沈殿処理設備、砂ろ過処理設備、活性炭吸着処理設備などを備えている。
【００１０】
第１凝集沈殿処理設備は、浸出水原水のカルシウムを除去して、配管・ポンプ類のスケーリングを防止するものであり、カルシウム除去剤を併用したアルカリ凝集沈殿処理を行なう。生物処理設備は、接触酸化型の循環脱窒法を採用しており、充填材表面の微生物を利用して、原水中の有機物の分解と窒素成分の除去を行なう。第２凝集沈殿処理設備は、生物処理水中の汚濁物質を薬品によって凝集させ、重力沈殿除去するものであり、ＣＯＤや色度成分の除去に効果的な弱酸性凝集沈殿処理を行なう。砂ろ過処理設備は、凝集沈殿処理水中に残る微細な浮遊物質などを、アンスラサイトと珪砂によるろ材で捕捉し、除去する。活性炭吸着処理装置は、活性炭の強力な吸着能力によってＣＯＤや色度成分などを除去する。処理水は減菌処理の後に放流もしくは後述する洗浄水として循環利用する。
【００１１】
埋立処分する廃棄物５としては、家庭から出る一般廃棄物、工場等から出る産業廃棄物、都市ごみ焼却施設から出る焼却残渣や不燃ごみがある。埋立処分場１に降る雨水は、覆土６の層、廃棄物５の層に浸透し、廃棄物５の有機性汚濁成分、ＳＳ、無機塩類等を含んで浸出水として流出し、集排水管２から調整槽３を通って浸出水処理施設４に流入する。
【００１２】
埋立処分に際して廃棄物５は、前処理して後に埋立処分場へ投入する。前処理においては、廃棄物５を一時的に洗浄設備７に貯留し、洗浄設備７において廃棄物５に洗浄水をシャワーリングして水洗する。洗い出した廃棄物５の汚濁質は洗浄排水とともに汚水として汚水貯留槽８に貯留し、汚水貯留槽８から汚水をポンプ手段等により定量的に浸出水処理施設４に供給する。
【００１３】
浸出水処理施設４においては、調整槽３から流入する汚濁質の少ない浸出水を変動的な一時水処理負荷として処理し、汚水貯留槽８から流入する汚濁質の多い汚水を定常的な基本水処理負荷として処理する。
前処理を行うことで埋立処分場１に持ち込まれる汚濁量が少なくなり、浸出水中に含まれる汚濁質の絶対量が少なくなるので、浸出水の汚濁量が変化しても、その変動量は小さなものとなり、浸出水が浸出水処理施設に与える影響は小さい。一方、前処理によって発生する汚水は降雨量に関係なく浸出水処理施設４へ毎時に一定の水量および汚濁量で流入するので、浸出水処理施設を一定レベルの稼動率で連続して運転することができる。したがって、浸出水処理施設４における水処理負荷は、基本水処理負荷と一時水処理負荷の和となり、変動幅が小さく平均化されたものとなる。洗浄水は浸出水処理施設４の処理水を利用することもでき、調整槽３に流入する浸出水を利用することもできる。
【００１４】
【発明の効果】
以上述べたように本発明によれば、前処理することで降水量によって増減する浸出水の汚濁量の変動量が小さなものとなり、降雨量に関係なく汚水が浸出水処理施設へ毎時に一定の水量および汚濁量で基本水処理負荷として流入することになり、浸出水処理施設を一定レベルの稼動率で連続して運転することができ、基本水処理負荷と一時水処理負荷の和は、その変動幅が小さく平均化されたものとなり、浸出水処理施設における水負荷変動を緩和できる。
【図面の簡単な説明】
【図１】本発明の実施形態における埋立処分方法を示す摸式図である。
【符号の説明】
１  埋立処分場
２  集排水管
３  調整槽
４  浸出水処理施設
５  廃棄物
６  覆土
７  洗浄設備
８  汚水貯留槽
【図１】
0004197807.tif 000002